(57)【要約】【課題】電子チケットから個人情報などが容易に漏洩することなく、転売電子チケットによる不正利用を阻止することができる技術を提供する。【解決手段】チケット購入者端末からチケット購入申し込み依頼があったとき、チケット情報及び販売先（販売先端末）を特定する情報を含むカラーコードを付与した電子チケットを生成し、当該電子チケットを前記チケット購入者端末に対して発行する手段、チケットの有効／無効を確認するチケット確認者端末から前記カラーコードを付与した電子チケットをもってチケット照合依頼を受けたとき、当該電子チケットに付与されたカラーコードと、予め登録してある前記チケット購入者端末を特定する情報を含むカラーコードとの照合し、前記チケット情報及びチケット利用者端末と前記チケット購入者端末の照合結果を前記チケット確認者端末に対して通知する手段、を有する。【選択図】図１
2016118900.tif 000002
【特許請求の範囲】
【請求項１】
電子チケット販売システムにおいて、演算装置を含むサーバを有し、
前記演算装置は、
電子チケット購入者端末からチケット購入申し込み依頼があったとき、販売先（販売先端末）を特定する情報を含み、第三者に対して漏洩したくない情報をカラーコードとして付与した電子チケットを生成する手段、
前記カラーコード付電子チケットを前記チケット購入者端末に対して発行する手段、
前記電子チケットの有効／無効を確認する電子チケット確認者端末から前記カラーコードを付与した電子チケットをもってチケット照合依頼を受けたとき、当該電子チケットに付与されたカラーコード及び当該電子チケットを利用する端末を特定する情報と予め登録してある照合用カラーコード及び当該カラーコードに関連付けされた前記チケット購入者端末を特定する情報とを照合し、当該カラーコードに含まれる前記第三者に対して漏洩したくない情報の照合結果及び電子チケット利用者端末情報と前記チケット購入者端末情報との照合結果を前記チケット確認者端末に対して通知する手段、
を有することを特徴とする電子チケット販売システム。
【請求項２】
演算装置を含むサーバシステムにより、電子チケット購入者端末に対して電子チケットを生成、発行し、前記電子チケットの有効／無効を確認する電子チケット確認者端末に対して電子チケット照合結果を通知する方法であって、
前記演算装置は、
電子チケット購入者端末からチケット購入申し込み依頼があったとき、販売先（販売先端末）を特定する情報を含み、第三者に対して漏洩したくない情報をカラーコードとして付与した電子チケットを生成して、当該電子チケットを前記チケット購入者端末に対して発行し、
前記電子チケット確認者端末から前記カラーコードを付与した電子チケットの照合依頼を受けたとき、当該電子チケットに付与されたカラーコード及び当該電子チケットを利用する端末を特定する情報と予め登録してある照合用カラーコード及び当該カラーコードに関連付けされた前記チケット購入者端末を特定する情報とを照合し、当該カラーコードに含まれる前記第三者に対して漏洩したくない情報の照合結果及び電子チケット利用者端末情報と前記チケット購入者端末情報との照合結果を前記チケット確認者端末に対して通知する手段、
を有することを特徴とする電子チケット販売方法。
【発明の詳細な説明】
【技術分野】
【０００１】
本発明は、電子チケット販売システム及び方法に関する。更に詳しくは、電子チケット照合・判定機能を有する電子チケット販売システム及び方法に関する。
【背景技術】
【０００２】
電子チケット販売システムとして、特開２００３−１８７２７２号公報（特許文献１）がある。
【０００３】
この公報には、「表示画面を有している少なくとも一つ又は二つ以上の携帯端末と、携帯端末のユーザ情報及びイベント情報を記憶するデータベース手段と、携帯端末から送信された情報に基づきデータベース手段に記憶されたユーザ情報及び／又はイベント情報を呼出して所定の処理を実行するサーバ手段と、サーバ手段により実行された処理に応じて当該処理の結果を携帯端末に送信する制御手段とを備え、サーバ手段は、携帯端末から送信された情報に基づき、電子チケットを作成し、所定のタイミングで携帯端末の表示画面に表示する。」という記載がある（要約参照）。
【先行技術文献】
【特許文献】
【０００４】
【特許文献１】特開２００３−１８７２７２
【発明の概要】
【発明が解決しようとする課題】
【０００５】
特許文献１には、電子チケットの有効／無効を係員が目視により容易に確認可能であり、かつ複数の電子チケットを予約した電子チケット予約者の携帯端末に所定枚数の電子チケットを発行する電子チケット販売システムが記載されている。
しかし、電子チケットの転売防止に違反する対策に対しては特に考慮されていない。したがって、転売されたチケットによる不正利用を阻止することが難しい。
【０００６】
そこで、本発明では、電子チケットから個人情報（例えば、第三者に対して漏洩したくないユーザ情報）などが容易に漏洩することなく、転売電子チケットによる不正利用を阻止することができる技術を提供することを目的とする。
【課題を解決するための手段】
【０００７】
上記課題を解決するために、本発明は、電子チケットを販売するとき、販売先（販売先端末）を特定する情報を含み、当該電子チケットに第三者に対して漏洩したくない情報をカラーコードとして付与した電子チケットを電子チケット購入者端末に対して発行する。
【０００８】
例えば、代表的な本発明のシステム及び方法の一つは、以下のとおりである。
電子チケット販売システムは、演算装置を含むサーバを有し、
前記演算装置は、
電子チケット購入者端末からチケット購入申し込み依頼があったとき、販売先（販売先端末）を特定する情報を含み、第三者に対して漏洩したくない情報をカラーコードとして付与した電子チケットを生成する手段、
前記カラーコード付電子チケットを前記チケット購入者端末に対して発行する手段、
前記電子チケットの有効／無効を確認する電子チケット確認者端末から前記カラーコードを付与した電子チケットをもってチケット照合依頼を受けたとき、当該電子チケットに付与されたカラーコード及び当該電子チケットを利用する端末を特定する情報と予め登録してある照合用カラーコード及び当該カラーコードに関連付けされた前記チケット購入者端末を特定する情報とを照合し、当該カラーコードに含まれる前記第三者に対して漏洩したくない情報の照合結果及び電子チケット利用者端末情報と前記チケット購入者端末情報との照合結果を前記チケット確認者端末に対して通知する手段、
を有することを特徴とする。
【０００９】
電子チケット販売方法は、
演算装置を含むサーバシステムにより、電子チケット購入者端末に対して電子チケットを生成、発行し、前記電子チケットの有効／無効を確認する電子チケット確認者端末に対して電子チケット照合結果を通知する方法であって、
前記演算装置は、
電子チケット購入者端末からチケット購入申し込み依頼があったとき、販売先（販売先端末）を特定する情報を含み、第三者に対して漏洩したくない情報をカラーコードとして付与した電子チケットを生成して、当該電子チケットを前記チケット購入者端末に対して発行し、
前記電子チケット確認者端末から前記カラーコードを付与した電子チケットの照合依頼を受けたとき、当該電子チケットに付与されたカラーコード及び当該電子チケットを利用する端末を特定する情報と予め登録してある照合用カラーコード及び当該カラーコードに関連付けされた前記チケット購入者端末を特定する情報とを照合し、当該カラーコードに含まれる前記第三者に対して漏洩したくない情報の照合結果及び電子チケット利用者端末情報と前記チケット購入者端末情報との照合結果を前記チケット確認者端末に対して通知する手段、
を有することを特徴とする。
【発明の効果】
【００１０】
本発明によれば、電子チケットに関連する情報で、第三者に対して漏洩したくない情報漏洩リスクを低減することができる。また、正規に購入した購入者以外の端末による利用者に対する不正利用を阻止することができる。
上記した以外の課題、構成及び効果は、以下の実施形態の説明により明らかにされる。
【図面の簡単な説明】
【００１１】
【図１】図１は、本発明の電子チケット販売システムの構成例を示すブロック図。
【図２】図２は、図１における演算装置のチケット販売時における処理フローを示す図。
【図３】図３は、図１における演算装置のチケット照会時における処理フローを示す図。
【発明を実施するための形態】
【００１２】
以下、実施例、図面を用いて説明する。
【実施例１】
【００１３】
図１は本発明の電子チケット販売システムの構成例を示す図である。同図において、まず、電子チケット販売システムの構成について説明する。
【００１４】
電子チケット販売システム３０は、例えば、電子チケット申込者が利用する端末１０，１０’及び電子チケット照会依頼者が利用する端末２０にネットワーク４０を介して接続される電子チケット販売サーバからなる。
【００１５】
電子チケット申込者が利用する端末１０，１０’は、電子チケットを利用する端末でもあり、例えば、携帯情報端末からなる。この端末は、電子チケット購入申し込み、電子チケットを受けて保存し、また、電子チケットを利用する時に電子チケットを読み出して会場などに設置された電子チケット照合依頼用装置に送信する機能を有するものであればよい。
【００１６】
電子チケット照会依頼者が利用する端末２０は、例えば、パソコンなどのチケット照合依頼用装置からなる。
この装置は、サーバ３０に対して、カラーコード付電子チケットが有効／無効かを照合依頼できる機能（カラーコード付チケット照合依頼部２０１）、サーバ３０からの照合・判定結果を受信し、表示する機能（照合結果受信・表示部２０２）を有するものであればよい。
【００１７】
サーバ３０は、入力装置３０２、出力装置３０３、記憶装置３０４、通信装置３０５、演算装置３０１、を有する。
【００１８】
入力装置３０２は、キーボードなどからなり、電子チケットに必要とする情報などを入力する。
【００１９】
出力装置３０３は、ディスプレイからなり、照合結果などを表示する。
【００２０】
通信装置３０５は、サーバ３０と電子チケット申込者が利用する端末１０及び電子チケット照会依頼者が利用する端末２０との間で情報の送受信を行う。
【００２１】
記憶装置３０４は、カラーコードＤＢ３０４１を有する。カラーコードＤＢ３０４１は、予め登録される照合用カラーコード及び当該カラーコードに関連付けされた情報、例えば、カラーコード付電子チケットを販売したとき、その販売先端末を示す情報が登録されている。即ち、電子チケット申込者（購入者）から携帯端末１０（Ａ）を通して電子チケットの購入申し入れがあったとき、当該端末を特定するに足りる情報ａを照合用カラーコードに関連付けて登録する。
【００２２】
演算装置３０１は、カラーコード付電子チケット照会依頼時に電子チケット利用者情報端末Ｂを特定する情報が電子チケット利用者情報端末Ｂから読み出したカラーコードに含まれるか否かを判定し、その判定結果を照会元のチケット照合依頼用装置に通知する機能を有する。更に、詳しくは、以下の機能を有する。
電子チケット購入者端末からチケット購入申し込み依頼があったとき、第三者に対して漏洩したくない情報及び販売先（販売先端末）を特定する情報を含むカラーコードを付与した電子チケットを生成する機能（電子チケット申し込み＆電子チケット照合依頼受付部）、
当該電子チケットを前記チケット購入者端末に対して発行する機能（カラーコード（含販売先情報）付電子チケット発行部）、
前記電子チケット確認者端末から前記カラーコードを付与した電子チケットの照合依頼を受けたとき、当該電子チケットに付与されたカラーコード及び当該電子チケットを利用する端末を特定する情報と予め登録してある照合用カラーコード及び当該カラーコードに関連付けされた前記チケット購入者端末を特定する情報とを照合し、判定する機能（カラーコード＆チケット販売先又は発信元（Ａ／Ｂ）照合・判定部）、
当該カラーコードに含まれる前記第三者に対して漏洩したくない情報の照合結果及び電子チケット利用者端末情報と前記チケット購入者端末情報との照合結果を前記チケット確認者端末に対して通知する機能（照合結果通知部）、
【００２３】
色や配列で情報を表現する「カラーコード」は、オフィスや製造現場で注目を集めている。
例えば、カラーコードを利用して従業員などの入退室管理や物品などの点検作業などを行うシステムが提案されている。例えば、意味を持つカラーコードを点検する設備や製品などに貼り付け、当該カラーコードをスマートフォンなどのカメラで読み取り、当該カラーコードに含まれる意味を持つ情報、例えば、点検手順や製品（機種）などの情報を解析してディスプレイに表示するものである。
【００２４】
カラーコードのフォーマットは、周知のとおり、以下のとおりである。
カラーコードには、「＃」の記号と６つの文字や数字（１６進法）が含まれている。例えば、＃００００００（ブラック）・・・＃ＦＦＦＦＦＦ（白）、などである。ここで、最初の１番目と２番目の２つの記号は、赤色の濃さを表している。００が最も薄く、ＦＦが最も濃くなっている。３番目と４番目の２つの記号は、緑色の濃さを、５番目と６番目の２つの記号は青色の濃さを表す。つまり、赤、緑、青の濃さの組み合わせにより、希望通りの色をほぼ同時に作ることができる。
本実施例では、斯様なカラーコードを応用したものである。
【００２５】
即ち、演算装置３０１は、内部に格納されたプログラムにより、上記通信装置３０５、出力装置３０３、記憶装置３０４などを制御し、その制御処理は、以下のフローにより実行する。
【００２６】
ステップＳ３０１１（電子チケット申し込み＆電子チケット照合依頼受付部）：電子チケット申込者が利用する端末から電子チケット申込があったとき、受け付ける。
【００２７】
ステップＳ３０１２（カラーコード（含販売先情報）付電子チケット発行部）：電子チケット購入者端末１０からチケット購入申し込み依頼があったとき、第三者に対して漏洩したくない情報を含むカラーコード及び電子チケットの販売先（販売先端末）を特定する情報を付与した電子チケットを生成し、発行する。
【００２８】
ステップＳ３０１３（カラーコード付電子チケット販売・送信部）：カラーコード付電子チケットを前記チケット購入者端末１０に対して発行する。つまり電子チケットを、通信装置３０５を介して送信し販売する。このとき、記憶装置３０４のカラーコードＤＢ３０４１にどのチケット購入者端末１０の利用者に対して販売したかを示す情報を電子チケットに関連付けして登録する。
【００２９】
また、ステップＳ３０１１（電子チケット申し込み＆電子チケット照合依頼受付部）：電子チケット照会依頼者が利用する電子チケット照合依頼用装置２０から電子チケット照合依頼があったとき、受け付ける。
【００３０】
ステップＳ３０１４（カラーコード＆チケット販売先又は発信元（Ａ／Ｂ）照合・判定部）：前記電子チケット照合依頼用装置２０から前記カラーコードを付与した電子チケットの照合依頼を受けたとき、当該電子チケットに付与されたカラーコード及び当該電子チケットを利用する端末１０’を特定する情報と予め登録してある照合用カラーコード及び当該カラーコードに関連付けされた前記チケット購入者端末１０を特定する情報とを照合し、判定する。
【００３１】
判定は、例えば、電子チケット照合依頼用装置２０からカラーコード付電子チケットの照会依頼を受けたとき、電子チケットを利用する情報端末Ｂを特定する情報ｂが電子チケットを購入した情報端末Ａから読み出したカラーコードに含まれるか否かを判定する。
換言すれば、電子チケットを購入した情報端末１０（Ａ）と電子チケットを利用する情報端末１０’（Ｂ）とが一致するか否かを判定する。
【００３２】
ステップＳ３０１５（照合・判定結果通知部）：ステップＳ３０１４による照合結果、つまりカラーコードに含まれる前記第三者に対して漏洩したくない情報の照合結果及び電子チケット利用者端末情報１０’と前記チケット購入者端末情報１０との照合・判定結果を前記チケット照合依頼装置２０に対して通知する。例えば、カラーコード付電子チケット照会依頼時に電子チケット利用者情報端末Ｂを特定する情報がカラーコードＤＢ３０４１に含まれるか否かを判定したとき、その判定結果を照会元の電子チケット照合依頼用装置２０側に通知する。
【００３３】
以上述べた実施によれば、第三者に対して漏洩したくない情報をカラーコードとして表現しているので、当該チケットから個人情報やユーザ情報などの情報漏洩リスクが低減し、仮に情報漏洩しても解読されるリスクが低い。
【００３４】
また、電子チケットに付与されたカラーコードにチケット販売先、つまりチケット購入者端末を特定する情報（ヘッダ情報など）を含めることにより、チケット購入者端末とチケット利用者端末とに相違があれば、転売チケットと判断して電子チケットの利用を規制することができる。
必要に応じてチケット内容、日付、などの基本情報もカラーコードとして表現してもよい。
【００３５】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒａｉｖｅ）等の記録装置、または、ＩＣカード、ＳＤカード、ＤＶＤ等の記録媒体に置くことができる。
【符号の説明】
【００３６】
１０、１０’・・・情報端末、２０・・・電子チケット照合依頼用装置、３０・・・電子チケット販売システム（サーバ）、３０１・・・演算装置、３０４・・・記憶装置、３０５・・・通信装置。
【図１】
2016118900.tif 000003
【図２】
2016118900.tif 000004
【図３】
2016118900.tif 000005